【手続補正書】
【提出日】平成17年11月15日(2005.11.15)
【手続補正１】
【補正対象書類名】明細書
【補正対象項目名】発明の名称
【補正方法】変更
【補正の内容】
【発明の名称】画像記録装置、管理装置、及び画像記録装置の省電力制御方法
【手続補正２】
【補正対象書類名】明細書
【補正対象項目名】特許請求の範囲
【補正方法】変更
【補正の内容】
【特許請求の範囲】
【請求項１】  画像データを一時記憶する記憶装置と、当該記憶装置の画像データを順次読み出し出力して記録材上に画像データを記録する処理を行うための各機構と、を備えた画像記録装置であって、
前記記憶装置に対する前記画像データの入力処理若しくは出力処理が行われない場合に、前記記憶装置内の各部の駆動を停止して消費電力を抑制するように制御する制御手段を備えたことを特徴とする画像記録装置。
【請求項２】  波長の異なる複数の光源によって感光材料を含む記録材を感光させることで、画像データの露光記録を行う露光処理手段と、前記露光処理手段にて露光された前記記録材を現像処理する現像処理手段と、を備え、前記露光処理および現像処理により前記画像データを前記記録材に画像記録処理を行う画像記録装置であって、
前記画像記録処理が行われない場合に、前記現像処理手段の各部を停止して消費電力を抑制するように制御する制御手段を備えたことを特徴とする画像記録装置。
【請求項３】  画像データを一時記憶する画像データ記憶手段と、
波長の異なる複数の光源によって感光材料を含む記録材を感光させることで、前記画像データの露光記録を行う露光処理手段と、
前記露光処理手段にて露光された前記記録材を現像処理する現像処理手段と、
を備え、前記露光処理および現像処理により前記画像データを前記記録材に画像記録処理を行う画像記録装置であって、
前記画像データ記憶手段に対する前記画像データの入力処理若しくは出力処理が行われない場合に、前記現像処理手段を構成する各部のうち一部を停止するとともに、前記画像データ記憶手段内の各部の駆動を停止して消費電力を抑制するように制御する制御手段を備えたことを特徴とする画像記録装置。
【請求項４】  波長の異なる複数の光源によって感光材料を含む記録材を感光させることで、画像データの露光記録を行う露光処理手段と、
前記露光処理手段にて露光された前記記録材を現像処理する現像処理手段と、
前記画像データを記録する処理の実行ないしは各種処理を指示するための操作手段
を備え、前記操作手段による操作入力に基づいて、前記露光処理および現像処理により前記画像データを前記記録材に画像記録処理を行う画像記録装置であって、
前記画像記録処理が行われない場合に、当該操作手段以外への電力供給を遮断するとともに、前記現像処理手段の各部を停止して消費電力を抑制するように制御する制御手段を有することを特徴とする画像記録装置。
【請求項５】  画像データを一時記憶する記憶装置備えて当該記憶装置の画像データを順次読み出し出力して記録材上に画像データを記録する画像記録装置と通信網を介して通信可能に形成された管理装置であって、
前記画像記録装置の消費電力を抑制するために、前記画像記録装置の前記記憶装置内の各部の駆動を停止させるコマンドないしは信号を含む省電力運転要求を、前記画像記録装置に対して送信するように制御する管理制御手段を備えたことを特徴とする管理装置。
【請求項６】  波長の異なる複数の光源によって感光材料を含む記録材を感光させて画像データの露光記録を行い、この露光された前記記録材を現像処理する現像処理手段を備えた画像記録装置と通信網を介して通信可能に形成された管理装置であって、
前記画像記録装置の消費電力を抑制するために、前記画像記録装置の前記現像処理手段の各部を停止させるコマンドないしは信号を含む省電力運転要求を、前記画像記録装置に対して送信するように制御する管理制御手段を備えたことを特徴とする管理装置。
【請求項７】  画像データを一時記憶する画像データ記憶手段の画像データを順次読み出して、波長の異なる複数の光源によって感光材料を含む記録材を感光させて前記画像データの露光記録を行い、この露光された前記記録材を現像処理する現像処理手段を備えた画像記録装置と通信網を介して通信可能に形成された管理装置であって、
前記画像記録装置の消費電力を抑制するために、前記画像記録装置の前記現像処理手段を構成する各部のうち一部を停止するとともに、前記画像データ記憶手段内の各部の駆動を停止させるコマンドないしは信号を含む省電力運転要求を、前記画像記録装置に対して送信するように制御する管理制御手段を備えたことを特徴とする管理装置。
【請求項８】  画像データを記録する処理の実行ないしは各種処理を指示するための操作手段による操作入力に基づいて、波長の異なる複数の光源によって感光材料を含む記録材を感光させて画像データの露光記録を行い、この露光された前記記録材を現像処理する現像処理手段を備えた画像記録装置と通信網を介して通信可能に形成された管理装置であって、
前記画像記録装置の消費電力を抑制するために、当該操作手段以外への電力供給を遮断するとともに、前記現像処理手段の各部を停止させるコマンドないしは信号を含む省電力運転要求を、前記画像記録装置に対して送信するように制御する管理制御手段を備えたことを特徴とする管理装置。
【請求項９】  画像データを一時記憶する記憶装置の画像データを順次読み出し出力して記録材上に画像データを記録する処理を行う画像記録装置の省電力制御方法であって、
前記記憶装置に対する前記画像データの入力処理若しくは出力処理が行われない場合に、前記記憶装置内の各部の駆動を停止させるステップを含むことを特徴とする画像記録装置の省電力制御方法。
【請求項１０】  波長の異なる複数の光源によって感光材料を含む記録材を感光させることで、画像データの露光記録を行い、この露光された前記記録材を現像処理手段により現像処理して画像記録処理を行う画像記録装置の省電力制御方法であって、
前記画像記録処理が行われない場合に、前記現像処理手段の各部を停止させるステップを含むことを特徴とする画像記録装置の省電力制御方法。
【手続補正３】
【補正対象書類名】明細書
【補正対象項目名】００１７
【補正方法】変更
【補正の内容】
【００１７】
本発明は、上記事情に鑑みてなされたものであり、その目的とするところは、ユーザーが予め設定した条件に応じて、若しくは、画像データの転送元となるフロントシステムの状態に応じて消費エネルギー抑制運転への切換を行い、記録効率とエネルギーロスのバランスを取りつつ、トータルの消費エネルギーを抑制可能な画像記録装置、管理装置、及び画像記録装置の省電力制御方法を提供することにある。
【手続補正４】
【補正対象書類名】明細書
【補正対象項目名】００１９
【補正方法】変更
【補正の内容】
【００１９】
また、上記目的を達成するために、請求項１に記載の発明に係る画像記録装置は、前記画像記録装置と通信網を介して通信可能に形成された管理装置との間で通信を行う通信手段をさらに有し、前記制御手段は、前記管理装置からの前記入力処理又は前記出力処理に関するアクセス要求が前記通信手段にて特定の期間受信されない場合に、前記記憶装置内の各部の駆動を停止するように制御することを特徴としている。
【手続補正５】
【補正対象書類名】明細書
【補正対象項目名】００２０
【補正方法】変更
【補正の内容】
【００２０】
また、上記目的を達成するために、請求項１に記載の発明に係る画像記録装置は、前記画像データを記録する処理の実行ないしは各種処理を指示するための操作手段をさらに有し、前記制御手段は、前記操作手段の操作入力が特定の期間行われない場合に、前記記憶装置内の各部の駆動を停止するように制御することを特徴としている。
【手続補正６】
【補正対象書類名】明細書
【補正対象項目名】００２１
【補正方法】変更
【補正の内容】
【００２１】
また、上記目的を達成するために、請求項１に記載の発明に係る画像記録装置は、前記記憶装置内の各部の駆動を停止して消費電力を抑制する記憶装置停止モードと、通常の処理がなされる通常モードとを切換指定する第１省電力モード設定手段を有し、前記制御手段は、前記第１省電力モード設定手段において前記記憶装置停止モードに切換えられた場合に、前記記憶装置内の各部の駆動を停止制御することを特徴としている。
【手続補正７】
【補正対象書類名】明細書
【補正対象項目名】００２２
【補正方法】変更
【補正の内容】
【００２２】
また、上記目的を達成するために、請求項１に記載の発明に係る画像記録装置は、前記記憶装置に対する前記画像データの入力処理若しくは出力処理が完了するとカウントを開始し、前記入力処理若しくは前記出力処理が開始されると前記カウントをクリアする計数手段を有し、前記制御手段は、予め設定された特定期間が経過して前記計数手段によるカウントが終了すると、前記記憶装置内の各部の駆動を停止する制御を開始することを特徴としている。
【手続補正８】
【補正対象書類名】明細書
【補正対象項目名】００２３
【補正方法】変更
【補正の内容】
【００２３】
また、上記目的を達成するために、請求項１に記載の発明に係る画像記録装置は、前記特定期間を設定することで省電力運転に至るまでの期間を設定する期間設定手段を有し、前記制御手段は、前記期間設定手段により設定された期間経過後に、前記記憶装置内の各部の駆動を停止する制御を行うことを特徴としている。
【手続補正９】
【補正対象書類名】明細書
【補正対象項目名】００２４
【補正方法】変更
【補正の内容】
【００２４】
また、上記目的を達成するために、請求項１に記載の発明に係る画像記録装置は、前記制御手段は、前記管理装置にて前記画像記録装置に対する画像記録処理に関するジョブがない場合に前記管理装置から送信されるスタンバイ要求を前記通信手段が受信すると、前記記憶装置内の各部の駆動を停止する制御を行うことを特徴としている。
【手続補正１０】
【補正対象書類名】明細書
【補正対象項目名】００２５
【補正方法】変更
【補正の内容】
【００２５】
また、上記目的を達成するために、請求項１に記載の発明に係る画像記録装置は、前記制御手段は、前記記憶装置に一時記憶される画像データが当該記憶装置にない場合に、前記記憶装置内の各部の駆動を停止制御することを特徴としている。
【手続補正１１】
【補正対象書類名】明細書
【補正対象項目名】００２６
【補正方法】変更
【補正の内容】
【００２６】
また、上記目的を達成するために、請求項１に記載の発明に係る画像記録装置は、前記管理装置との間で接続された信号線を介して前記管理装置の状態を監視することで前記管理装置の電源状態を認識する電源状態認識手段をさらに有し、前記制御手段は、前記電源状態認識手段が前記管理装置の電源状態が遮断されたないしは前記信号線が遮断された旨を認識した場合に、前記記憶装置内の各部の駆動を停止制御することを特徴としている。
【手続補正１２】
【補正対象書類名】明細書
【補正対象項目名】００２７
【補正方法】変更
【補正の内容】
【００２７】
また、上記目的を達成するために、請求項１に記載の発明に係る画像記録装置は、前記記憶装置は、複数の磁気ディスクを含み、前記制御手段は、当該画像記録装置の処理状態に応じて、各前記磁気ディスクの各駆動動作を個別に各々停止可能に制御することを特徴としている。
【手続補正１３】
【補正対象書類名】明細書
【補正対象項目名】００２８
【補正方法】変更
【補正の内容】
【００２８】
また、上記目的を達成するために、請求項２に記載の発明に係る画像記録装置は、波長の異なる複数の光源によって感光材料を含む記録材を感光させることで、画像データの露光記録を行う露光処理手段と、前記露光処理手段にて露光された前記記録材を現像処理する現像処理手段と、を備え、前記露光処理および現像処理により前記画像データを前記記録材に画像記録処理を行う画像記録装置であって、前記画像記録処理が行われない場合に、前記現像処理手段の各部を停止して消費電力を抑制するように制御する制御手段を備えたことを特徴としている。
【手続補正１４】
【補正対象書類名】明細書
【補正対象項目名】００２９
【補正方法】変更
【補正の内容】
【００２９】
また、上記目的を達成するために、請求項２に記載の発明に係る画像記録装置は、前記画像記録装置と通信網を介して通信可能に形成された管理装置との間で通信を行う通信手段をさらに有し、前記制御手段は、前記管理装置からの前記画像記録処理に関するアクセス要求が前記通信手段にて特定の期間受信されない場合に、前記現像処理手段の各部を停止するように制御することを特徴としている。
【手続補正１５】
【補正対象書類名】明細書
【補正対象項目名】００３０
【補正方法】変更
【補正の内容】
【００３０】
また、上記目的を達成するために、請求項２に記載の発明に係る画像記録装置は、前記画像データを記録する処理の実行ないしは各種処理を指示するための操作手段をさらに有し、前記制御手段は、前記操作手段の操作入力が特定の期間行われない場合に、前記現像処理手段の各部を停止するように制御することを特徴としている。
【手続補正１６】
【補正対象書類名】明細書
【補正対象項目名】００３１
【補正方法】変更
【補正の内容】
【００３１】
また、上記目的を達成するために、請求項２に記載の発明に係る画像記録装置は、前記現像処理手段の各部を停止して消費電力を抑制する現像処理停止モードと、通常の処理がなされる通常モードとを切換指定する第２省電力モード設定手段を有し、前記制御手段は、前記第２省電力モード設定手段において前記現像処理停止モードに切換えられた場合に、前記現像処理手段内の各部を停止するように制御することを特徴としている。
【手続補正１７】
【補正対象書類名】明細書
【補正対象項目名】００３２
【補正方法】変更
【補正の内容】
【００３２】
また、上記目的を達成するために、請求項２に記載の発明に係る画像記録装置は、画像データを一時記憶し、当該記憶された画像データを順次読み出し出力して前記露光処理手段にて露光記録を行うための画像データ記憶手段と、前記画像データ記憶手段に対する前記画像データの入力処理若しくは出力処理が完了するとカウントを開始し、前記入力処理若しくは前記出力処理が開始されると前記カウントをクリアする計数手段と、を有し、前記制御手段は、予め設定された特定期間が経過して前記計数手段によるカウントが終了すると、前記現像処理手段の各部を停止する制御を行うことを特徴としている。
【手続補正１８】
【補正対象書類名】明細書
【補正対象項目名】００３３
【補正方法】変更
【補正の内容】
【００３３】
また、上記目的を達成するために、請求項２に記載の発明に係る画像記録装置は、前記特定期間を設定することで省電力運転に至るまでの期間を設定する期間設定手段を有し、前記制御手段は、前記期間設定手段により設定された期間経過後に、前記現像処理手段の各部の駆動を停止する制御を行うことを特徴としている。
【手続補正１９】
【補正対象書類名】明細書
【補正対象項目名】００３４
【補正方法】変更
【補正の内容】
【００３４】
また、上記目的を達成するために、請求項２に記載の発明に係る画像記録装置は、前記制御手段は、前記管理装置にて前記画像記録装置に対する画像記録処理に関するジョブがない場合に前記管理装置から送信されるスタンバイ要求を前記通信手段が受信すると、前記現像処理手段の各部を停止する制御を行うことを特徴としている。
【手続補正２０】
【補正対象書類名】明細書
【補正対象項目名】００３５
【補正方法】変更
【補正の内容】
【００３５】
また、上記目的を達成するために、請求項２に記載の発明に係る画像記録装置は、前記画像データを一時記憶し、当該記憶された画像データを順次読み出し出力して前記露光処理手段にて露光記録を行うための画像データ記憶手段を有し、前記制御手段は、前記画像データ記憶手段に一時記憶される画像データが当該画像データ記憶手段にない場合に、前記現像処理手段の各部を停止制御することを特徴としている。
【手続補正２１】
【補正対象書類名】明細書
【補正対象項目名】００３６
【補正方法】変更
【補正の内容】
【００３６】
また、上記目的を達成するために、請求項２に記載の発明に係る画像記録装置は、前記管理装置との間で接続された信号線を介して前記管理装置の状態を監視することで前記管理装置の電源状態を認識する電源状態認識手段をさらに有し、前記制御手段は、前記電源状態認識手段が前記管理装置の電源状態が遮断されたないしは前記信号線が遮断された旨を認識した場合に、前記現像処理手段の各部を停止制御することを特徴としている。
【手続補正２２】
【補正対象書類名】明細書
【補正対象項目名】００３７
【補正方法】変更
【補正の内容】
【００３７】
また、上記目的を達成するために、請求項２に記載の発明に係る画像記録装置は、前記制御手段は、当該画像記録装置の処理状態に応じて、前記現像処理手段の各部を個別に停止制御可能であることを特徴としている。
【手続補正２３】
【補正対象書類名】明細書
【補正対象項目名】００３８
【補正方法】変更
【補正の内容】
【００３８】
また、上記目的を達成するために、請求項２に記載の発明に係る画像記録装置は、前記各部は、前記現像処理において前記記録材を搬送する搬送駆動部を含み、前記制御手段は、前記画像データの入力処理若しくは出力処理が行われない場合に、前記搬送駆動部を停止するように制御することを特徴としている。
【手続補正２４】
【補正対象書類名】明細書
【補正対象項目名】００３９
【補正方法】変更
【補正の内容】
【００３９】
また、上記目的を達成するために、請求項２に記載の発明に係る画像記録装置は、前記一部は、現像処理を行う現像部、現像された前記記録材を定着処理する定着部、現像された前記記録材を乾燥処理する乾燥部の各加熱部を含み、前記制御手段は、前記画像データの入力処理若しくは出力処理が行われない場合に、各前記加熱部を停止制御することを特徴としている。
【手続補正２５】
【補正対象書類名】明細書
【補正対象項目名】００４０
【補正方法】変更
【補正の内容】
【００４０】
また、上記目的を達成するために、請求項２に記載の発明に係る画像記録装置は、前記一部は、現像処理を行う現像部、現像された前記記録材を定着処理する定着部、定着処理された前記記録材を安定化処理する安定部の各処理液を各々供給する各処理液供給部を含み、前記制御手段は、前記画像データの入力処理若しくは出力処理が行われない場合に、各前記処理液供給部を停止制御することを特徴としている。
【手続補正２６】
【補正対象書類名】明細書
【補正対象項目名】００４１
【補正方法】変更
【補正の内容】
【００４１】
また、上記目的を達成するために、請求項３に記載の発明に係る画像記録装置は、画像データを一時記憶する画像データ記憶手段と、波長の異なる複数の光源によって感光材料を含む記録材を感光させることで、前記画像データの露光記録を行う露光処理手段と、前記露光処理手段にて露光された前記記録材を現像処理する現像処理手段と、を備え、前記露光処理および現像処理により前記画像データを前記記録材に画像記録処理を行う画像記録装置であって、前記画像データ記憶手段に対する前記画像データの入力処理若しくは出力処理が行われない場合に、前記現像処理手段を構成する各部のうち一部を停止するとともに、前記画像データ記憶手段内の各部の駆動を停止して消費電力を抑制するように制御する制御手段を備えたことを特徴としている。
【手続補正２７】
【補正対象書類名】明細書
【補正対象項目名】００４２
【補正方法】変更
【補正の内容】
【００４２】
また、上記目的を達成するために、請求項３に記載の発明に係る画像記録装置は、前記一部は、前記現像処理において前記記録材を搬送する搬送駆動部を含み、前記制御手段は、前記画像データの入力処理若しくは出力処理が行われない場合に、前記搬送駆動部を停止するように制御することを特徴としている。
【手続補正２８】
【補正対象書類名】明細書
【補正対象項目名】００４３
【補正方法】変更
【補正の内容】
【００４３】
また、上記目的を達成するために、請求項３に記載の発明に係る画像記録装置は、前記一部は、現像された前記記録材を乾燥処理する乾燥部を含み、前記制御手段は、前記画像データの入力処理若しくは出力処理が行われない場合に、前記乾燥部を現像処理時の第１の温度から当該第１の温度より低い第２の温度となるように制御することを特徴としている。
【手続補正２９】
【補正対象書類名】明細書
【補正対象項目名】００４４
【補正方法】変更
【補正の内容】
【００４４】
また、上記目的を達成するために、請求項３に記載の発明に係る画像記録装置は、前記画像データ記憶手段内の各部の駆動を停止し、かつ、前記現像処理手段を構成する前記搬送駆動部を停止し、前記現像処理手段を構成する前記乾燥部を前記第２の温度となるようにして消費電力を抑制するセーブコントロールモードと、通常の処理がなされる通常モードとを切換指定する第３省電力モード設定手段を有し、前記制御手段は、前記第３省電力モード設定手段において前記セーブコントロールモードに切換えられた場合に、前記画像データ記憶手段内の各部の駆動を停止制御することを特徴としている。
【手続補正３０】
【補正対象書類名】明細書
【補正対象項目名】００４５
【補正方法】変更
【補正の内容】
【００４５】
また、上記目的を達成するために、請求項４に記載の発明に係る画像記録装置は、波長の異なる複数の光源によって感光材料を含む記録材を感光させることで、画像データの露光記録を行う露光処理手段と、前記露光処理手段にて露光された前記記録材を現像処理する現像処理手段と、前記画像データを記録する処理の実行ないしは各種処理を指示するための操作手段と、を備え、前記操作手段による操作入力に基づいて、前記露光処理および現像処理により前記画像データを前記記録材に画像記録処理を行う画像記録装置であって、前記画像記録処理が行われない場合に、当該操作手段以外への電力供給を遮断するとともに、前記現像処理手段の各部を停止して消費電力を抑制するように制御する制御手段を有することを特徴としている。
【手続補正３１】
【補正対象書類名】明細書
【補正対象項目名】００４６
【補正方法】変更
【補正の内容】
【００４６】
また、上記目的を達成するために、請求項４に記載の発明に係る画像記録装置は、前記現像処理手段の各部を停止し、かつ、前記操作手段以外への電力供給を遮断するようにして消費電力を抑制するスリープコントロールモードと、通常の処理がなされる通常モードとを切換指定する第４省電力モード設定手段を有し、前記制御手段は、前記第４省電力モード設定手段において前記スリープコントロールモードに切換えられた場合に、前記現像処理手段内の各部を停止するように制御することを特徴としている。
【手続補正３２】
【補正対象書類名】明細書
【補正対象項目名】００４７
【補正方法】変更
【補正の内容】
【００４７】
また、上記目的を達成するために、請求項４に記載の発明に係る画像記録装置は、前記制御手段は、前記通常モードにおいて、前記記録材を現像処理する現像処理手段における現像処理において前記記録材を搬送する搬送部を停止するとともに、現像された前記記録材を第１の温度にて乾燥処理する前記現像処理手段を構成する乾燥部を前記第１の温度より低い第２の温度となるように制御することを特徴としている。
【手続補正３３】
【補正対象書類名】明細書
【補正対象項目名】００４８
【補正方法】変更
【補正の内容】
【００４８】
また、上記目的を達成するために、請求項４に記載の発明に係る画像記録装置は、前記セーブコントロールモード、前記スリープコントロールモード、前記通常モードを設定可能なモード設定手段をさらに有することを特徴としている。
【手続補正３４】
【補正対象書類名】明細書
【補正対象項目名】００４９
【補正方法】変更
【補正の内容】
【００４９】
また、上記目的を達成するために、請求項４に記載の発明に係る画像記録装置は、前記モード設定手段は、前記セーブコントロールモード又は前記スリープコントロールモードが実行される期間を設定する期間設定手段を含むことを特徴としている。
【手続補正３５】
【補正対象書類名】明細書
【補正対象項目名】００５０
【補正方法】変更
【補正の内容】
【００５０】
また、上記目的を達成するために、請求項５に記載の発明に係る管理装置は、画像データを一時記憶する記憶装置備えて当該記憶装置の画像データを順次読み出し出力して記録材上に画像データを記録する画像記録装置と通信網を介して通信可能に形成された管理装置であって、前記画像記録装置の消費電力を抑制するために、前記画像記録装置の前記記憶装置内の各部の駆動を停止させるコマンドないしは信号を含む省電力運転要求を、前記画像記録装置に対して送信するように制御する管理制御手段を備えたことを特徴としている。
【手続補正３６】
【補正対象書類名】明細書
【補正対象項目名】００５１
【補正方法】変更
【補正の内容】
【００５１】
また、上記目的を達成するために、請求項６に記載の発明に係る管理装置は、波長の異なる複数の光源によって感光材料を含む記録材を感光させて画像データの露光記録を行い、この露光された前記記録材を現像処理する現像処理手段を備えた画像記録装置と通信網を介して通信可能に形成された管理装置であって、前記画像記録装置の消費電力を抑制するために、前記画像記録装置の前記現像処理手段の各部を停止させるコマンドないしは信号を含む省電力運転要求を、前記画像記録装置に対して送信するように制御する管理制御手段を備えたことを特徴としている。
【手続補正３７】
【補正対象書類名】明細書
【補正対象項目名】００５２
【補正方法】変更
【補正の内容】
【００５２】
また、上記目的を達成するために、請求項７に記載の発明に係る管理装置は、画像データを一時記憶する画像データ記憶手段の画像データを順次読み出して、波長の異なる複数の光源によって感光材料を含む記録材を感光させて前記画像データの露光記録を行い、この露光された前記記録材を現像処理する現像処理手段を備えた画像記録装置と通信網を介して通信可能に形成された管理装置であって、前記画像記録装置の消費電力を抑制するために、前記画像記録装置の前記現像処理手段を構成する各部のうち一部を停止するとともに、前記画像データ記憶手段内の各部の駆動を停止させるコマンドないしは信号を含む省電力運転要求を、前記画像記録装置に対して送信するように制御する管理制御手段を備えたことを特徴としている。
【手続補正３８】
【補正対象書類名】明細書
【補正対象項目名】００５３
【補正方法】変更
【補正の内容】
【００５３】
また、上記目的を達成するために、請求項８に記載の発明に係る管理装置は、画像データを記録する処理の実行ないしは各種処理を指示するための操作手段による操作入力に基づいて、波長の異なる複数の光源によって感光材料を含む記録材を感光させて画像データの露光記録を行い、この露光された前記記録材を現像処理する現像処理手段を備えた画像記録装置と通信網を介して通信可能に形成された管理装置であって、前記画像記録装置の消費電力を抑制するために、当該操作手段以外への電力供給を遮断するとともに、前記現像処理手段の各部を停止させるコマンドないしは信号を含む省電力運転要求を、前記画像記録装置に対して送信するように制御する管理制御手段を備えたことを特徴としている。
【手続補正３９】
【補正対象書類名】明細書
【補正対象項目名】００５４
【補正方法】変更
【補正の内容】
【００５４】
また、上記目的を達成するために、請求項５乃至８に記載の発明に係る管理装置は、前記管理制御手段は、前記省電力運転を解除する省電力運転解除要求を前記画像記録装置に対して送信する第１の処理と、前記画像記録装置の省電力運転を解除した上で、前記画像記録装置において前記画像データを記録して出力する画像データ出力要求を送信する第２の処理と、前記画像データを前記画像記録装置に対して送信した上で、前記画像記録装置において前記画像データの画像記録処理が完了した旨の完了通知を、前記画像記録装置より受信する第３の処理と、を含み、前記完了通知を受領すると、前記省電力運転要求を送信することを特徴としている。
【手続補正４０】
【補正対象書類名】明細書
【補正対象項目名】００５５
【補正方法】変更
【補正の内容】
【００５５】
また、上記目的を達成するために、請求項５乃至８に記載の発明に係る管理装置は、前記管理制御手段は、前記画像記録装置において前記画像記録処理がなされてから特定期間経過後に前記省電力運転を開始させるための通知を、前記画像記録装置において前記画像データを記録して出力する画像データ出力要求を送信する前に送信するように制御することを特徴としている。
【手続補正４１】
【補正対象書類名】明細書
【補正対象項目名】００５６
【補正方法】変更
【補正の内容】
【００５６】
また、上記目的を達成するために、請求項１乃至８に記載の発明に係るカラープルーフ作成システムは、上述のいずれかに記載の一又は複数の画像記録装置と、前記画像記録装置と通信網を介して通信可能に形成され、上述のいずれかに記載の一又は複数の管理装置と、を含み、複数色から構成される原画像データに基づいて、色分解された各網点画像データを前記管理装置により作成して、前記網点画像データを面順次に前記画像記録装置に対して転送して、前記画像記録装置において波長の異なる複数の光を露光してカラープルーフを得ることを特徴としている。
【手続補正４２】
【補正対象書類名】明細書
【補正対象項目名】００５７
【補正方法】変更
【補正の内容】
【００５７】
また、上記目的を達成するために、請求項１乃至８に記載の発明に係るカラープルーフ作成システムは、上述のいずれか一項に記載の一又は複数の画像記録装置と、前記画像記録装置と通信網を介して通信可能に形成され、複数色から構成される原画像データに基づいて、色分解された各網点画像データを作成する画像処理装置と、前記画像処理装置と前記通信網を介して通信可能に形成され、前記原画像データを作成または取り込むための一又は複数の上流端末と、を含み、前記上流端末において作成された原画像データを、前記画像処理装置において網点画像データとし、前記画像記録装置においてカラープルーフを得ることを特徴としている。
【手続補正４３】
【補正対象書類名】明細書
【補正対象項目名】００５８
【補正方法】変更
【補正の内容】
【００５８】
また、上記目的を達成するために、請求項１乃至８に記載の発明に係るカラープルーフ作成システムは、上述のいずれかの一又は複数の画像記録装置と、前記画像記録装置と通信網を介して通信可能に形成され、複数色から構成される原画像データに基づいて、色分解された各網点画像データを作成する画像処理装置を備えたフロントシステムと、前記画像処理装置と前記通信網を介して通信可能に形成され、前記原画像データを作成または取り込むための一又は複数の上流端末を備えたデザインシステムと、前記画像記録装置と通信網を介して通信可能に形成され、上述のいずれかの一又は複数の管理装置を備えたホストシステムおよびセンターシステムと、を含むことを特徴としている。
【手続補正４４】
【補正対象書類名】明細書
【補正対象項目名】００５９
【補正方法】変更
【補正の内容】
【００５９】
また、上記目的を達成するために、請求項９に記載の発明に係る画像記録装置の省電力制御方法は、画像データを一時記憶する記憶装置の画像データを順次読み出し出力して記録材上に画像データを記録する処理を行う画像記録装置の省電力制御方法であって、前記記憶装置に対する前記画像データの入力処理若しくは出力処理が行われない場合に、前記記憶装置内の各部の駆動を停止させるステップを含むことを特徴としている。
【手続補正４５】
【補正対象書類名】明細書
【補正対象項目名】００６０
【補正方法】変更
【補正の内容】
【００６０】
また、上記目的を達成するために、請求項１０に記載の発明に係る画像記録装置の省電力制御方法は、波長の異なる複数の光源によって感光材料を含む記録材を感光させることで、画像データの露光記録を行い、この露光された前記記録材を現像処理手段により現像処理して画像記録処理を行う画像記録装置の省電力制御方法であって、前記画像記録処理が行われない場合に、前記現像処理手段の各部を停止させるステップを含むことを特徴としている。